(57)【要約】【課題】はがき部を際立たせることで利用者に印象付けられるうえに取り外しが容易で、かつ、はがき部と保護シール部を設けた箇所との間に段差が発生するのを防ぐことが可能なはがき付き印刷物を提供する。【解決手段】二層のシート片（３１，３２）によって形成されるはがき部３と、はがき部の第１層３１と同じ層に設けられる保護シール部５と、保護シール部の粘着面５１を覆う剥離シート部６と、これらの周囲に設けられる窓枠部４とを備えている。  そして、はがき部は、その一面に重ね合わされる残置領域の一面にはがき接着部２３ａによって剥離可能に接着されるとともに、窓枠部を捲るとはがき部が浮き出される構成となっている。【選択図】図１
2016168743.tif 000002
【特許請求の範囲】
【請求項１】
残置領域からの取り外しが可能なはがきを有するはがき付き印刷物であって、
二層のシート片によって形成されるはがき部と、
前記はがき部のいずれかの層と同じ層に設けられる保護シール部と、
前記保護シール部の粘着面を覆う剥離シート部と、
前記はがき部並びに保護シール部及び剥離シート部の周囲に設けられる窓枠部とを備え、
前記はがき部は、その一面に重ね合わされる前記残置領域の一面に剥離可能に接着されるとともに、前記窓枠部又は前記窓枠部と対向する紙片を捲ると、前記はがき部が浮き出されることを特徴とするはがき付き印刷物。
【請求項２】
前記はがき部のいずれかの層と前記保護シール部とが連続しており、
前記窓枠部は、前記はがき部、保護シール部及び剥離シート部の全体の外周に設けられることを特徴とする請求項１に記載のはがき付き印刷物。
【請求項３】
前記はがき部のいずれかの層と前記剥離シート部とが連続するとともに、前記保護シール部は前記はがき部から切り離し可能となるように切り抜かれており、
前記窓枠部は、前記はがき部、保護シール部及び剥離シート部の全体の外周に設けられることを特徴とする請求項１に記載のはがき付き印刷物。
【請求項４】
前記残置領域として、前記はがき部に対して折り重ねられる対向面を備え、
前記対向面には、前記はがき部を剥離可能に接着させるはがき接着部が設けられ、
前記対向面を開いた際に、前記はがき部が前記はがき接着部の接着力によって前記窓枠部側から前記対向面側に移動することを特徴とする請求項２又は３に記載のはがき付き印刷物。
【請求項５】
前記はがき部と前記保護シール部とは分離しており、
前記窓枠部は、前記はがき部と前記保護シール部とをそれぞれ囲むように設けられることを特徴とする請求項１に記載のはがき付き印刷物。
【発明の詳細な説明】
【技術分野】
【０００１】
本発明は、広告や宣伝のために配布されるチラシ、又は雑誌や本の綴込みなどに使用されるはがき付き印刷物に関するものである。
【背景技術】
【０００２】
特許文献１，２に開示されているように、チラシや本の綴込みなどのシートの一部が、取り外し可能なはがきとなっている印刷物が知られている。例えば特許文献１には、紙片を重ねて貼り合せた二層構造のはがきがミシン目から切り離せる構成が開示されている。
【０００３】
また、特許文献１では、はがきに隣接した位置に個人情報等を秘匿させるためのシールが配置された構成となっている。この秘匿シールは、剥がしてはがきの個人情報等の記入欄に貼り付けるものであるが、この秘匿シールが設けられる箇所も、はがきと同じ二層構造となっており、偏りのない均一の厚みの広告用印刷物となっている。
【０００４】
また、特許文献２には、一枚の用紙の一角に見開きのはがき又は封書の大きさの取り外し部分を設けておき、その部分を用紙から取り外した後に２つに折り畳んで内面側に塗布された感圧糊によって接着させることで、文面を秘匿した状態ではがき等を送信することができる印刷物が開示されている。
【先行技術文献】
【特許文献】
【０００５】
【特許文献１】特開２００４−１３３０６５号公報
【特許文献２】特開２００６−７６０７１号公報
【発明の概要】
【発明が解決しようとする課題】
【０００６】
しかしながら特許文献１，２に開示されているはがき付き印刷物では、シートの隅角部に設けられた平面状のはがきを切り離すだけなので、はがきの存在感が少ない。
【０００７】
また、隅角部にはがきを設ける場合には、配達中など意図しない時機に外れてしまわないように、ある程度以上の強度で残置領域に繋げておかなければならず、はがきを切り離すのに手間がかかる。
【０００８】
さらに、個人情報等を秘匿させたりするための保護シール部を設ける場合は、はがき部との間に段差ができないようにして、偏りのない均一の厚みの印刷物にするのが好ましい。
【０００９】
そこで、本発明は、はがき部を際立たせることで利用者に印象付けられるうえに取り外しが容易で、かつ、はがき部と保護シール部を設けた箇所との間に段差が発生するのを防ぐことが可能なはがき付き印刷物を提供することを目的としている。
【課題を解決するための手段】
【００１０】
前記目的を達成するために、本発明のはがき付き印刷物は、残置領域からの取り外しが可能なはがきを有するはがき付き印刷物であって、二層のシート片によって形成されるはがき部と、前記はがき部のいずれかの層と同じ層に設けられる保護シール部と、前記保護シール部の粘着面を覆う剥離シート部と、前記はがき部並びに保護シール部及び剥離シート部の周囲に設けられる窓枠部とを備え、前記はがき部は、その一面に重ね合わされる前記残置領域の一面に剥離可能に接着されるとともに、前記窓枠部又は前記窓枠部と対向する紙片を捲ると、前記はがき部が浮き出されることを特徴とする。
【００１１】
ここで、前記はがき部のいずれかの層と前記保護シール部とが連続しており、前記窓枠部は、前記はがき部、保護シール部及び剥離シート部の全体の外周に設けられる構成とすることができる。
【００１２】
また、前記はがき部のいずれかの層と前記剥離シート部とが連続するとともに、前記保護シール部は前記はがき部から切り離し可能となるように切り抜かれており、前記窓枠部は、前記はがき部、保護シール部及び剥離シート部の全体の外周に設けられる構成とすることができる。
【００１３】
さらに、前記残置領域として、前記はがき部に対して折り重ねられる対向面を備え、前記対向面には、前記はがき部を剥離可能に接着させるはがき接着部が設けられ、前記対向面を開いた際に、前記はがき部が前記はがき接着部の接着力によって前記窓枠部側から前記対向面側に移動する構成とすることができる。
【００１４】
一方、前記はがき部と前記保護シール部とは分離しており、前記窓枠部は、前記はがき部と前記保護シール部とをそれぞれ囲むように設けられる構成とすることができる。
【発明の効果】
【００１５】
このように構成された本発明のはがき付き印刷物は、二層のシート片によって形成されるはがき部に対して、はがき部のいずれかの層と同じ層に設けられる保護シール部とそれを覆う剥離シート部とが設けられる。また、はがき部の周囲に設けられる窓枠部又は窓枠部と対向する紙片を捲ると、はがき部が浮き出される構成となっている。
【００１６】
このため、はがき部を際立たせることができ、利用者に印象付けられるうえに、浮き出されたはがき部は容易に取り外すことができる。さらに、はがき部は、保護シール部と剥離シート部とが積層された箇所と同じ二層構造となるので、これらの間に段差が発生するのを防ぐことができる。
【００１７】
また、はがき部のいずれかの層と保護シール部とが連続している場合は、保護シール部を折り曲げるだけで個人情報の記入欄などを覆い隠すことができる。さらに、保護シール部がはがき部から切り離し可能となるように切り抜かれている場合は、記入欄がはがき部のいずれの位置にあっても覆い隠すことができる。
【００１８】
また、はがき部がはがき接着部の接着力によって窓枠部側から対向面側に移動する構成となっていれば、利用者は、はがき付き印刷物を開いただけで、はがき部を取り出したような感覚を楽しむことができる。さらに、はがき部の所望する面を露出させることができる。
【００１９】
また、はがき部と保護シール部とが分離している場合は、はがき部と保護シール部とが一体になる場合よりも、はがき部の大きさを自由に決めることができる。
【図面の簡単な説明】
【００２０】
【図１】本発明の実施の形態のはがき付き印刷物の構成を説明する図であって、（ａ）ははがき部を二層構造にする前の状態を示した図、（ｂ）は二層構造のはがき部の構成を模式的に説明する断面図である。
【図２】はがき付き印刷物の使用方法を説明するための説明図である。
【図３】はがき部の使用方法を説明する図であって、（ａ）は剥離シート部を剥がす状態を示した図、（ｂ）は保護シール部の粘着面が露出した状態を示した図、（ｃ）は記入欄を保護シール部で覆う状態を示した図である。
【図４】実施例１のはがき付き印刷物の使用方法を説明する図であって、（ａ）ははがき部の通信面側が見える状態を示した説明図、（ｂ）ははがき部の宛名面側が見える状態にした説明図である。
【図５】実施例２のはがき付き印刷物の使用方法を説明する図であって、（ａ）ははがき部の宛名面側が見える状態を示した説明図、（ｂ）ははがき部の通信面側が見える状態にした説明図である。
【図６】実施例３のはがき付き印刷物の構成を説明する図であって、（ａ）は製作段階の状態を示した図、（ｂ）は配布時の状態を示した図、（ｃ）は利用者が開いた状態を示した図である。
【図７】実施例４のはがき付き印刷物の使用方法を説明するための説明図である。
【発明を実施するための形態】
【００２１】
以下、本発明の実施の形態について図面を参照して説明する。図１は、本実施の形態のはがき付き印刷物としてのはがき付きチラシ１の製作途中の状態を示した展開図である。また、図２は、完成したはがき付きチラシ１の使用方法を説明するための図である。
【００２２】
このはがき付きチラシ１は、図１，２に示すように、はがき部３と、それに連続して設けられる保護シール部５と、保護シール部５の粘着面５１を覆う剥離シート部６と、はがき部３及び保護シール部５（剥離シート部６を含む）の周囲に設けられる窓枠部４とを主に備えている。
【００２３】
このはがき部３と窓枠部４とは、図１(ａ)に示すように、２枚のシート片２１，２２を重ね合わせることによって形成される。はがき部３の宛名面が形成される第１層３１はシート片２１に形成され、通信面が形成される第２層３２はシート片２２に形成される。
【００２４】
また、シート片２１において、第１層３１に連続して設けられる保護シール部５の一面には、剥離と再接着とが可能な粘着剤の塗布によって粘着面５１が設けられる。粘着面５１に用いられる粘着剤には、例えばアクリル系粘着剤などの不溶性の糊が使用される。
【００２５】
さらに、シート片２２において、第２層３２に連続して設けられる剥離シート部６の一面には、必要に応じてコーティング剤を塗布したコーティング面６１が設けられる。
【００２６】
コーティング面６１に用いられるコーティング剤には、例えばシリコーン樹脂を使用することができる。シリコーン樹脂には、溶剤型、無溶剤型、エマルジョン型などがあり、例えば、ＵＶシリコーンが使用できる。
【００２７】
そして、シート片２１，２２の少なくとも一方には、粘着面５１及びコーティング面６１以外の領域に接着剤３３が塗布される。この接着剤３３は、剥離不能な強力な接着剤であって、ここではシート片２１側の粘着面５１以外の領域に塗布される。
【００２８】
図１(ｂ)に示すように、はがき部３は、接着剤３３を介して第１層３１と第２層３２とが一体化される。また、その周囲の窓枠部４も、同様にシート片２１，２２が一体化された二層構造となる。
【００２９】
一方、保護シール部５と剥離シート部６も、はがき部３と同じ厚さの二層構造となる。しかしながら保護シール部５の粘着面５１には剥離シート部６のコーティング面６１が重ね合わされるので、剥離シート部６は、容易に保護シール部５から剥がすことができる。ここで、剥離シート部６とはがき部３の第２層３２との間には、ダイカッタによって切取り線６２が切り込まれる。
【００３０】
これらのはがき部３や窓枠部４が設けられる紙本体２は、長方形に形成された１枚の紙片であって、両面に図や文字情報などの印刷が施される。紙本体２には、例えば６０〜７０ｇ／ｍ２程度の上質紙などが使用できる。
【００３１】
また、本実施の形態で説明するはがき付きチラシ１には、図２に示されるように、はがき部３及び窓枠部４に対して重ね合わされる残置領域としての情報表示領域２３１が設けられる。
【００３２】
この情報表示領域２３１のはがき部３及び保護シール部５が対向する面には、図１(ａ)に示すように、剥離可能なはがき接着部２３ａが設けられる。このはがき接着部２３ａに塗布される接着剤は、例えば剥離糊であって、一度剥がすと再び接着されることはなく、はがき部３の宛名面がべたつくこともない。
【００３３】
また、はがき付きチラシ１では、紙本体２を折り曲げることによって、図２に示すように窓枠部４に隣接して情報表示領域２３２が重ねられる。情報表示領域２３１，２３２には、はがき部３の利用方法や広告などの情報や図などを印刷しておくことができる。
【００３４】
また、窓枠部４は、図２の右端に示すように、はがき部３及び剥離シート部６の全体の外周に平面視略ロ字状に形成される。要するに、長方形の紙の中央に長方形のはがき部３及び剥離シート部６を設けた場合に、その紙の残りが窓枠部４となる。
【００３５】
なお、図示していないが、情報表示領域２３１と窓枠部４や他の情報表示領域２３２を接着させるためにも、剥離糊などの接着剤を塗布しておくことができる。すなわち紙本体２を折り曲げて、図２に示すように情報表示領域２３２の端縁と窓枠部４の端縁とが対峙するように接着しておくことができる。
【００３６】
また、情報表示領域２３１に貼り付けられたはがき部３と窓枠部４との間には、点状にアンカット部４２，・・・を残してカット部４１が切り込まれる。ここで、窓枠部４のはがき部３及び剥離シート部６に隣接する位置には、破線４１１を印刷しておき、そこに切取り線があることを明示しておくのが好ましい。
【００３７】
このアンカット部４２，・・・は、窓枠部４を情報表示領域２３１から剥がした（離隔させた）際に、はがき部３だけがはがき接着部２３ａの接着力によって情報表示領域２３１側に残置される量に設定される。
【００３８】
次に、本実施の形態のはがき付きチラシ１の製作方法及び使用方法について説明する。
【００３９】
まず、ロール紙から紙本体２を引き出し、両面印刷機によって紙本体２の両面に印刷を行う。すなわち紙本体２に対して、はがき部３の宛名面及び通信面、窓枠部４、保護シール部５の露出面、剥離シート部６の露出面、情報表示領域２３１，２３２などに必要な印刷のすべてをこの工程で行う。
【００４０】
印刷後に、シート片２１を紙本体２から切り離し、接着剤３３をシート片２１に塗布する。また、シート片２１に粘着剤を塗布して粘着面５１を設けるとともに、シート片２２にコーティング剤を塗布してコーティング面６１を設ける。
【００４１】
そして、図１の矢印で示したようにシート片２１，２２を重ね合わせることで、二層構造のはがき部３とする。さらに、紙本体２に対して剥離糊を塗布することによって、はがき接着部２３ａなどが形成される。
【００４２】
続いて、紙本体２を折目２ａで折り曲げて、はがき部３及び窓枠部４を情報表示領域２３１に対向させるとともに、情報表示領域２３１，２３２どうしを対峙させる。
【００４３】
さらに、この折り重ねられた状態のまま、はがき部３及び剥離シート部６と窓枠部４が形成された二層構造を切り取る工程に移行する。この工程では、アンカット部４２，・・・間にのみ、それぞれダイカッタで切り込みを入れる。要するにアンカット部４２，・・・は、カット部４１として切り込まれずに残った部分である。
【００４４】
さらに、はがき部３と剥離シート部６との境界に、ダイカッタによって切取り線６２となる切り込みを入れる。この切取り線６２は、図１(ｂ)に示すように上層のみの切り込みであって、保護シール部５には到達していない。
【００４５】
このようにして製作されたシート状のはがき付きチラシ１は、新聞の折込み広告となって利用者に配布される。情報表示領域２３２に印刷された情報などに関心を持った人は、さらに情報を収集するために、図２に示すようにはがき付きチラシ１の左側の情報表示領域２３２を右下隅から捲り、その下の情報表示領域２３１を露出させる。
【００４６】
そして、情報表示領域２３１，２３２に印刷された文字や図などの情報によってはがきを送ろうと考えたり、さらに情報を得たいと考えたりした利用者は、情報表示領域２３２の右側の窓枠部４を左下隅から捲ることになる。
【００４７】
すると、はがき接着部２３ａの接着力によって窓枠部４だけが捲れ上がってはがき部３は情報表示領域２３１に貼り付いたままとなるため、はがき部３が浮き出たようになって利用者はすぐに利用できるはがきが付いていることを強く意識するようになる。
【００４８】
そして、はがきを返信しようとする利用者は、はがき付きチラシ１から図３(ａ)に示すようにはがき部３を取り外す。続いて、はがき部３の第２層３２側の通信面の記入欄３４に個人情報などを記入し、剥離シート部６を剥がす。
【００４９】
剥離シート部６が剥がされると、図３(ｂ)に示すように、保護シール部５の粘着面５１が露出することになる。そこで、折目３５で保護シール部５を記入欄３４側に折り曲げる。この段階では、上部が二層構造のはがき部３であるのに対して、下部は一層の保護シール部５であるので、簡単に折目３５を付けることができる。
【００５０】
折り曲げられた保護シール部５は、図３(ｃ)に示すように、記入欄３４上に貼り付けられる。この結果、記入欄３４が保護シール部５によって覆われることになり、記入欄３４に記入された個人情報などは、外部から視認できないように秘匿される。
【００５１】
次に、本実施の形態のはがき付きチラシ１の作用について説明する。
【００５２】
このように構成された本実施の形態のはがき付きチラシ１は、二層のシート片２１，２２によって形成されるはがき部３（第１層３１と第２層３２）に対して、はがき部３のいずれかの層（３１，３２）と同じ層に設けられる保護シール部５とそれを覆う剥離シート部６とが設けられる。
【００５３】
また、はがき部３及び剥離シート部６（保護シール部５）の周囲に設けられる窓枠部４を捲ると、はがき部３が情報表示領域２３１から浮き出される構成となっている。
【００５４】
このため、はがき部３を際立たせることができ、利用者に印象付けることができる。また、浮き出されたはがき部３は、剥離可能なはがき接着部２３ａによって接着されているだけなので、容易に取り外すことができる。
【００５５】
さらに、はがき部３は、保護シール部５と剥離シート部６とが積層された箇所と同じ二層構造となるので、これらの間に段差が発生するのを防ぐことができる。
【００５６】
はがき部３と保護シール部５との間に段差がなければ、カット部４１及び切取り線６２の切り込み加工を１台のダイカッタで行うことができる。また、はがき付きチラシ１が均一な厚さであれば、多くのはがき付きチラシ１，・・・を重ねても上面に勾配ができないので、安定性が高く梱包や配送がし易くなる。さらに、新聞の折込み広告丁合機にも、一度に多くのはがき付きチラシ１，・・・をセットすることができる。
【００５７】
また、はがき部３の第１層３１と保護シール部５とが連続しているので、保護シール部５を折目３５に沿って折り曲げるだけで個人情報の記入欄３４を覆い隠すことができる。
【実施例１】
【００５８】
以下、前記した実施の形態とは別の形態の実施例１について、図４を参照しながら説明する。なお、前記実施の形態で説明した内容と同一乃至均等な部分の説明については、同一符号又は同一用語を使って説明する。
【００５９】
本実施例１で説明するはがき付き印刷物としてのはがき付きチラシ１Ａは、はがき部３Ａ及び保護シール部５が配置される位置が、前記実施の形態で説明したはがき付きチラシ１とは異なっている。
【００６０】
図４（ａ）は、折目１１において谷折りされるはがき付きチラシ１Ａの見開き面を示している。これに対して図４(ｂ)は、図４(ａ)の状態を裏側から見た状態を示している。
【００６１】
このはがき部３Ａは、図４(ａ)に示すように、窓枠部４Ａの折目１１１寄りに設けられている。このはがき付きチラシ１Ａは、図４(ｂ)に示すように、両側が折目１１１，１１２で折り畳まれて、観音開き状態になっている。
【００６２】
そして、はがき部３Ａに重ねられた窓枠部４Ａに対向する情報表示領域２４２を捲ると、はがき部３Ａが浮き出るようになっている。このはがき部３Ａは、はがき接着部２４ａによって、はがき部３Ａに重ね合わされる情報表示領域２４１の対向面に剥離可能に接着されている。
【００６３】
一方、はがき部３Ａ及び保護シール部５（剥離シート部６）の外周は、カット部４１Ａによって全周が切り込まれており、情報表示領域２４１を捲り上げると、それに伴ってはがき部３Ａも付いてくるようになっている。
【００６４】
このように立体的に飛び出すはがき部３Ａを備えたはがき付きチラシ１Ａにおいても、はがき部３Ａとの間に段差を発生させることなく保護シール部５を設けることができる。
【００６５】
なお、他の構成及び作用効果については、前記実施の形態又は他の実施例と略同様であるので説明を省略する。
【実施例２】
【００６６】
以下、前記した実施の形態及び実施例１とは別の形態の実施例２について、図５を参照しながら説明する。なお、前記実施の形態又は他の実施例で説明した内容と同一乃至均等な部分の説明については、同一符号又は同一用語を使って説明する。
【００６７】
本実施例２で説明するはがき付き印刷物としてのはがき付きチラシ１Ｂは、はがき部３Ｂが配置される位置、及びはがき付きチラシ１Ｂの折り畳みに関する形態は、上記実施例１のはがき付きチラシ１Ａと同じである。このため、実施例１のはがき付きチラシ１Ａと異なる点について、主に説明する。
【００６８】
はがき付きチラシ１Ｂのはがき部３Ｂは、窓枠部４Ｂの内側に、保護シール部５Ｂが設けられる領域も含めた長方形の細長い形状に成形される。すなわち、実施例１のはがき部３Ａは、切取り線６２より上方の長方形部分であるが（図４（ａ）参照）、本実施例２のはがき部３Ｂは、図５(ａ)のカット部４１Ｂが示すように、保護シール部５Ｂ及び剥離シート部６Ｂが設けられる領域もはがき部３Ｂとなる。
【００６９】
この保護シール部５Ｂは、例えばはがき部３Ｂの宛名面となる第１層３１に設けられる。そして、はがき部３Ｂの通信面となる第２層３２には、剥離シート部６Ｂが設けられる。
【００７０】
この保護シール部５Ｂは、第１層３１の下部を横長の長方形状に切り抜く切抜き線５２によって、はがき部３Ｂから切り離し可能に設けられる。この保護シール部５Ｂを剥がすと、一層分だけ窪んだ剥離シート部６Ｂが現れる。この第１層３１から剥がされた保護シール部５Ｂは、図５(ｂ)に示した通信面となる第２層３２の下部の記入欄３４を覆い隠すために貼り付けられる。
【００７１】
このように保護シール部５Ｂをはがき部３Ｂの領域内に設けるようにすれば、大型のはがき部３Ｂにすることができ、必要情報を印刷したり記入させたりするための通信面のスペースを増やすことができる。
【００７２】
また、記入欄３４がはがき部３Ｂのいずれの位置にあっても、覆い隠すことができる。すなわち、保護シール部５Ｂが宛名面（第１層３１）にあっても、通信面（第２層３２）の個人情報等の記入欄３４を秘匿させることができる。
【００７３】
なお、他の構成及び作用効果については、前記実施の形態又は他の実施例と略同様であるので説明を省略する。
【実施例３】
【００７４】
以下、前記した実施の形態及び実施例１，２とは別の形態の実施例３について、図６を参照しながら説明する。なお、前記実施の形態又は他の実施例で説明した内容と同一乃至均等な部分の説明については、同一符号又は同一用語を使って説明する。
【００７５】
本実施例３で説明するはがき付き印刷物としてのはがき付きチラシ１Ｃは、はがき部３Ｃを際立たせる形態が、前記実施の形態及び実施例１，２で説明したはがき付きチラシ１，１Ａ，１Ｂとは異なっている。
【００７６】
図６（ａ）は、本実施例３のはがき付きチラシ１Ｃの製作段階の状態を示している。図の右側の窓枠部４Ｃの内側に設けられるはがき部３Ｃは、周囲にカット部４１Ｃが切り込まれているが、アンカット部４２Ｃ，・・・を介して窓枠部４Ｃと弱く繋がっている。
【００７７】
一方、図の左側は、はがき部３Ｃの対向面２５となる残置領域である。この対向面２５の縁部には、窓枠部４Ｃを剥離可能に接着させるための窓枠接着部２６，２６が設けられる。
【００７８】
そして、対向面２５のはがき部３Ｃ及び剥離シート部６を対峙させる領域には、剥離可能なはがき接着部２５ａ，２５ｂがそれぞれ設けられる。このはがき接着部２５ａ，２５ｂの接着力は、アンカット部４２Ｃ，・・・によるはがき部３Ｃと窓枠部４Ｃとの繋りよりも強くなるように設定されている。
【００７９】
このような製作段階のはがき付きチラシ１Ｃを折目１２で谷折りに折り曲げて、はがき部３Ｃと対向面２５とを重ね合わせると、図６（ｂ）に示すような配布時の状態となる。
【００８０】
この状態では、はがき接着部２５ａ，２５ｂにはがき部３Ｃ及び剥離シート部６が接着され、窓枠接着部２６，２６には窓枠部４Ｃが接着される。そして、はがき付きチラシ１Ｃを受け取った利用者が開くと、図６（ｃ）に示した状態となる。
【００８１】
この対向面２５を開く際には、はがき接着部２５ａ，２５ｂの接着力によってアンカット部４２Ｃ，・・・による接続が切れて、はがき部３Ｃが窓枠部４Ｃ側から対向面２５側に移動する。このため、窓枠部４Ｃ側には、カット部４１Ｃの切り抜きが窓状に残される。
【００８２】
このようにはがき付きチラシ１Ｃを開く動作によって、はがき部３Ｃが移動するようにすることで、はがき部３Ｃを際立たせることができる。すなわち利用者は、はがき付きチラシ１Ｃを開いただけで、はがき部３Ｃを取り出したような感覚を楽しむことができる。
【００８３】
さらに、はがき部３Ｃの所望する面を露出させることが、容易にできる。例えば、宛名面をまず最初に利用者に見せたいなど、はがき部３Ｃの意図した面を見せることができるようになる。
【００８４】
なお、他の構成及び作用効果については、前記実施の形態又は他の実施例と略同様であるので説明を省略する。
【実施例４】
【００８５】
以下、前記した実施の形態及び実施例１−３とは別の形態の実施例４について、図７を参照しながら説明する。なお、前記実施の形態又は他の実施例で説明した内容と同一乃至均等な部分の説明については、同一符号又は同一用語を使って説明する。
【００８６】
前記実施の形態及び実施例１−３で説明したはがき部３，３Ａ−３Ｃには、保護シール部５，５Ｂ，５Ｄが一体に設けられていた。本実施例４で説明する保護シール部５Ｄは、はがき部３Ｄとは分離して設けられる。
【００８７】
すなわち、はがき部３Ｄは、窓枠部４Ｄの中で、縦長の長方形状のはがきカット部４３によって単独で囲まれている。また、保護シール部５Ｄも、はがき部３Ｄが設けられた同じ窓枠部４Ｄの中で、横長の長方形状のシールカット部４４によって単独で囲まれている。
【００８８】
この保護シール部５Ｄを剥がすと、はがき部３Ｄの第１層３１に連続する剥離シート部６Ｄが露出することになる。この剥離シート部６Ｄは、一層分だけ窪んだ状態で現れる。
【００８９】
また、はがき部３Ｄは、残置領域となる対向する情報表示領域２７１にはがき接着部（図示省略）によって剥離可能に接着されている。このため、情報表示領域２７２に続いて窓枠部４Ｄを捲ると、はがき部３Ｄが浮き出されることになる。
【００９０】
このように、はがき部３Ｄと保護シール部５Ｄとが分離している場合は、はがき部と保護シール部とが一体である場合よりも、はがき部３Ｄの大きさを自由に決めることができる。また、保護シール部５Ｄを設ける位置の制約も少なくなる。
【００９１】
なお、他の構成及び作用効果については、前記実施の形態又は他の実施例と略同様であるので説明を省略する。
【００９２】
以上、図面を参照して、本発明の実施の形態を詳述してきたが、具体的な構成は、この実施の形態及び実施例に限らず、本発明の要旨を逸脱しない程度の設計的変更は、本発明に含まれる。
【００９３】
例えば、前記実施の形態及び実施例では、新聞の折込み広告としてはがき付きチラシ１，１Ａ−１Ｄを使用する場合について説明したが、これに限定されるものではない。例えば住戸の郵便受けに投函される広告、街頭や店頭で配布される広告、又は雑誌や本の綴込みなどに本発明のはがき付き印刷物を使用することができる。
【００９４】
また、前記実施の形態及び実施例では、個人情報等を記入させる記入欄３４を秘匿させる保護シール部５，５Ｂ，５Ｄについて説明したが、これに限定されるものではなく、印字された部分を覆い隠すための保護シール部であってもよい。
【符号の説明】
【００９５】
１，１Ａ−１Ｄ  はがき付きチラシ（はがき付き印刷物）
２５ａ，２５ｂ  はがき接着部
３，３Ａ−３Ｄ  はがき部
３１            第１層（シート片）
３２            第２層（シート片）
４，４Ａ−４Ｄ  窓枠部
４３            はがきカット部
４４            シールカット部
５，５Ｂ，５Ｄ  保護シール部
５１            粘着面
６，６Ｂ，６Ｄ  剥離シート部
【図１】
2016168743.tif 000003
【図２】
2016168743.tif 000004
【図３】
2016168743.tif 000005
【図４】
2016168743.tif 000006
【図５】
2016168743.tif 000007
【図６】
2016168743.tif 000008
【図７】
2016168743.tif 000009